(57)【要約】      （修正有）【課題】資産の近傍にあるとき、その資産特有のデータを自動的に表示するためのシステムおよび方法を提供する。【解決手段】移動デバイスの位置を決定するステップと、移動デバイスに近接する複数の資産のうちの１つを識別するステップと、移動デバイスから複数の資産のうちの１つに関するデータにアクセスするステップとを含む、移動デバイスを使用して複数の資産を監視する方法。また、移動デバイスと通信し、移動デバイスの位置を決定するように構成されたロケーションサーバと、ロケーションサーバ、複数の資産、および移動デバイスと通信し、複数の資産の状況を監視して、複数の資産のうちの１つの状況を移動デバイスに送信するように構成されているアプリケーションサーバとを含み、複数の資産のうちの１つが移動デバイスに最も近接している、移動デバイスを使用して複数の資産を監視するためのシステム。【選択図】図１
2013229870.tif 000002
【特許請求の範囲】
【請求項１】
移動デバイスを使用して複数の資産を監視する方法であって、
前記移動デバイスの位置を決定するステップと、
前記移動デバイスに近接する複数の資産のうちの１つを識別するステップと、
前記移動デバイスから前記複数の資産のうちの前記１つに関するデータにアクセスするステップとを備える方法。
【請求項２】
前記移動デバイスが、前記移動デバイス上で実行するアプリケーションプログラムを有し、前記アプリケーションプログラムが、前記アクセスするステップの一部として前記複数の資産のうちの前記１つに関する前記データを自動的に表示する、請求項１記載の方法。
【請求項３】
前記決定するステップが、全地球測位システム、アシスト型全地球測位システム、および三角測量システムのうちの１つを使用して実行される、請求項１記載の方法。
【請求項４】
それぞれの前記複数の資産には位置情報が関連付けられており、前記識別するステップが、前記位置情報と前記移動デバイスの前記位置とを比較することによって実行される、請求項３記載の方法。
【請求項５】
前記複数の資産のうちの１つがニアフィールド無線通信送信機を備え、前記決定するステップが、前記移動デバイスによって前記送信機からの送信を受信することによって実行される、請求項１記載の方法。
【請求項６】
前記複数の資産のうちの前記１つが前記移動デバイスに最も近接している、請求項１記載の方法。
【請求項７】
複数の資産のうちの前記１つが、風力発電機、タービン、およびボイラのうちの１つである、請求項１記載の方法。
【請求項８】
前記移動デバイスで、前記複数の資産のうちの１つからデータを受信するステップをさらに備える、請求項１記載の方法。
【請求項９】
前記受信したデータをアプリケーションサーバに送信するステップをさらに備える、請求項８記載の方法。
【請求項１０】
移動デバイスを使用して複数の資産を監視するためのシステムであって、
前記移動デバイスと通信し、前記移動デバイスの位置を決定するように構成されたロケーションサーバと、
前記ロケーションサーバ、前記複数の資産、および前記移動デバイスと通信し、前記複数の資産の状況を監視して、前記複数の資産のうちの１つの状況を前記移動デバイスに送信するように構成され、複数の資産のうちの前記１つが前記移動デバイスに最も近接している、アプリケーションサーバと
を備えるシステム。
【請求項１１】
前記移動デバイスが、前記アプリケーションサーバから複数の資産のうちの前記１つの前記状況を受信するように構成されている、請求項１０記載のシステム。
【請求項１２】
前記移動デバイスが、前記複数の資産のうちの前記１つから前記複数の資産のうちの前記１つの前記状況を受信して、前記状況を前記アプリケーションサーバに転送するように構成されている、請求項１０記載のシステム。
【発明の詳細な説明】
【技術分野】
【０００１】
本開示の実施形態は、移動遠隔通信を必要とする応用分野を対象とし、より詳細には、資産の近傍にあるとき、その資産特有のデータを自動的に表示するためのシステムおよび方法を対象とする。
【背景技術】
【０００２】
比較的広い地理的領域に広がる多数の資産を管理することは、困難な場合がある。資産が互いに同じように見える場合は特に難しい。たとえば、複数の風力タービンを備える風力発電地帯は数エーカーに及ぶことがあり、それぞれの風力発電機の外観にはほとんどまたは全く差異がない。同様に、タービンまたはボイラなどの視覚的に区別できない複数の資産が、広大な施設内に位置する場合がある。これらの資産は同じように見えるにもかかわらず、それぞれの資産は、独自の運転またはメンテナンスの特性およびスケジュールを有する場合がある。これらの資産を担当する従業員が、それぞれの個々の資産を迅速かつ間違いなく識別することは、風力発電地帯または施設全体の効率的な運転およびメンテナンスにとって極めて重要である。
【０００３】
制御室から、オペレータが任意の特定の資産を監視できるようにする制御を選択することは比較的容易である。しかし、メンテナンスまたは資産管理職務のためには、制御室は、現場または施設内の職員と通信することを必要とする場合がある。したがって、現場から離れた制御室内から監視するよりも、現場または施設に出ている時に資産の状況を監視する方が有益な場合がある。そのための効率的または正確な方法またはシステムは存在しない。
【先行技術文献】
【特許文献】
【０００４】
【特許文献１】米国特許第７５５１１３０号明細書
【発明の概要】
【０００５】
資産の管理およびメンテナンスサービスを行うことができるようにするために、制御室で一般に利用可能なデータを、フィールドエンジニアまたは技術者が迅速かつ正確に資産を識別できるような形でフィールドエンジニアまたは技術者に提供することができることが求められている。
【０００６】
以下、本開示のいくつかの態様または実施形態を示す簡単な概要を提示する。この概要は本開示の広い概要ではない。実際には、概要に記述されているもの以外に、本開示の追加または代替の実施形態が利用可能であり得る。
【０００７】
本開示は、移動デバイスの位置を決定するステップと、移動デバイスに近接する複数の資産のうちの１つを識別するステップと、移動デバイスから複数の資産のうちの１つに関するデータにアクセスするステップとを含む、移動デバイスを使用して複数の資産を監視する方法を対象とする。
【０００８】
本開示は、移動デバイスと通信し、移動デバイスの位置を決定するように構成されたロケーションサーバと、ロケーションサーバ、複数の資産、および移動デバイスと通信し、複数の資産の状況を監視して、複数の資産のうちの１つの状況を移動デバイスに送信するように構成され、複数の資産のうちの１つが移動デバイスに最も近接している、アプリケーションサーバとを含む、移動デバイスを使用して複数の資産を監視するためのシステムをさらに対象とする。
【０００９】
したがって、制御室で通常利用可能なデータに、フィールドエンジニアまたは技術者が移動デバイス上で迅速かつ正確にアクセスすることができる。
【００１０】
以下の説明は、添付の図面と併せて読むことによって、よりよく理解されよう。
【図面の簡単な説明】
【００１１】
【図１】ある領域に広がる複数の資産の概略図である。
【図２】ある実施形態による、風力タービンの概略図である。
【図３】ある実施形態による、風力タービンの側面の概略図である。
【図４】１つまたは複数の資産と通信するためのネットワークの例示的実施形態である。
【図５】本開示による、複数の資産のうちの１つの状況を示すディスプレイの例示的な図である。
【図６】本開示の方法の実施形態を示す流れ図である。
【発明を実施するための形態】
【００１２】
次に、本発明の様々な実施形態を詳細に参照する。本発明の様々な実施形態のうちの１つまたは複数の例は、図面に示されている。それぞれの例は実施形態の説明として提供されるものであり、実施形態を限定することを意味するものではない。たとえば、一実施形態の一部として示される特徴は、他の実施形態に関して組み込まれてよい。このような任意の修正形態および変形形態は本明細書に含まれることを意図する。
【００１３】
図１を参照すると、複数の資産１０が位置する可能性がある領域１２を有する実施形態が示されている。領域１２は、数エーカーの土地でもよく、施設内の領域でもよい。複数の資産１０は、複数のタービン、風力タービン、ボイラ、または追跡および監視することができる他の任意の資産を含んでもよい。本開示は、例示のみの目的で、これに限定されないが、タービンまたはボイラを有する施設を含む複数の環境に適用できるが、本開示はまず複数の資産１０が多数の風力タービンである施設に関して記述し、複数の資産１０のうちの１つは図２において風力タービン１００として示されている。
【００１４】
図２に関して、ある実施形態による風力タービン１００を示す概略図が示されている。風力タービン１００はタワー２を含み、その上部にナセル６が搭載されている。ロータ４はロータブレード８に備え付けられており、たとえば、ナセル６に３つのブレード構成が回転自在に搭載されている。運動エネルギーはロータブレード８によって風から得られ、ロータ４を回転軸周りで回転させる。ロータ４は、直接、またはギアボックスを通じて、発電機（図示せず）に連結されている。発電機は、ロータ４に駆動されて、ユーティリティグリッドなどに供給される電力を生成する。
【００１５】
図３は、ある実施形態による風力タービン１００を示している。風力タービン１００には、全地球測位システム（「ＧＰＳ」）受信機１１０が搭載されている。ＧＰＳ受信機１１０は当分野で知られており、ＧＰＳ信号５０として示されるマイクロ波信号を通じて、全地球的航法衛星システムを備える一連の衛星と通信する。ＧＰＳ受信機１１０は、風力タービン１００の位置を決定することができる。他の衛星ベースの航法システムを使用してもよいことを理解されたい。たとえば、ＧＡＬＩＬＥＯとして知られる欧州ベースの衛星および受信機システムを使用してもよい。さらに、たとえば風力タービン１００上の受信機が、複数の送信機から送信された信号を測定する三角測量技法などの、風力タービンの位置を決定するための他の技法を使用してもよい。さらに、図４を参照して記述されるように、風力タービン１００の位置は、風力タービン１００自体で、またはアプリケーションサーバ４８において、風力タービン１００に関連付けられるプログラム可能メモリ内にハードコードされてもよい。ハードコーディングは、絶対的な地理経度および緯度データを含んでもよく、位置のために特に開発されたグリッド内の相対的な位置を含んでもよい。
【００１６】
図３は、風力タービン１００のナセル６にＧＰＳ受信機１１０が設置されていることを示している。ＧＰＳ受信機１１０は風力タービンのところまたは風力タービンの近くで任意の適切な位置に設置することができるが、ＧＰＳ受信機１１０をナセルに配置することにより、衛星に対して良好なウインドウ、したがってＧＰＳ信号５０の良好な受信がもたらされる。ナセル６は、風力タービンの運転の様々な側面を監視する１つまたは複数のセンサ１１２も含んでもよい。
【００１７】
さらに、風力タービン１００は、ネットワーク４２を通じて、遠隔にいる受信者、または遠隔にあるコンピュータに情報を送信するように適合された通信デバイス１２０を含んでもよい。通信デバイス１２０にとって利用可能な情報は、ＧＰＳ受信機１１０、あるいは１つまたは複数のセンサ１１２から提供されてもよい。通信デバイス１２０は有線でも無線でもよい。一例では、通信デバイス１２０はインターネット接続を含む。他の実施形態では、通信デバイス１２０はローカルエリアネットワーク接続を含む。他の実施形態では、通信デバイス１２０は、ブルートゥースまたは他のＮＦＣ通信プロトコルを使用して通信するニアフィールド無線通信（ＮＦＣ）送信機でもよい。通信デバイス１２０は、ネットワーク４２に送信する前に、１つまたは複数のセンサ１１２からデータを統合するプロセッサを含んでもよい。
【００１８】
風力タービン１００上の１つまたは複数のセンサ１１２は、通信デバイス１２０を通じてネットワーク４２にデータを送信することができる。例示的実施形態である図４を参照すると、ネットワーク４２は、たとえばＩＰプロトコルを使用してデータを送信することができるインターネットとすることができる。しかし、他の例示的実施形態では、ネットワーク４２はさらに、または代替で、他のイントラネット、エクストラネット、プライベートネットワーク、パブリックネットワーク、ワイドエリアネットワーク、ローカルエリアネットワークなど、あるいはそれらの他の任意の組合せを含んでもよい。ネットワークは他の任意のタイプの有線または無線ネットワークでもよい。無線ネットワークの例は、４Ｇとしても知られるロングタームエボリューション（ＬＴＥ）ネットワークでもよく、これに限定されないが、グローバル移動体通信システム（ＧＳＭ（登録商標））、符号分割多元接続（ＣＤＭＡ）、ワイドバンド符号分割多元接続（ＷＣＤＭＡ(登録商標））、第３世代パートナーシッププロジェクト（３ＧＰＰ）、ＧＳＭ(登録商標）エボリューション用の拡張データ転送速度（ＥＤＧＥ）に基づくもの、または他の任意のタイプのセルラーネットワークを含む任意のタイプのセルラー式ネットワークでもよく、また、Ｗｉ−Ｆｉ、ワールドワイドインターオペラビリティフォーマイクロウェーブアクセス（ＷｉＭＡＸ）、無線ローカルエリアネットワーク（ＷＬＡＮ）、他のＩＥＥＥ８０２．ＸＸネットワークを含む他の任意のタイプの無線ネットワークでもよく、通信デバイス１２０へ、およびそこからデータを送信することができる他の任意のタイプの無線ネットワークでもよい。複数の資産１０はネットワーク４２に接続させることができる。
【００１９】
ネットワーク４２に接続されている、またはそれと通信するものには、ワークステーションまたは他のコンピューティングデバイスなどの１つまたは複数のネットワークデバイス４３もあり、このようなネットワークデバイスはネットブックコンピュータ、ラップトップコンピュータ、タブレットコンピュータ、携帯用情報端末（ＰＤＡ）、インターネット可能移動電話、スマートフォン、および、インターネットへ、またはそこからデータを送受信できる他の任意のネットワークデバイスも含んでもよいことが当業者によって理解されている。ネットワークデバイス４３は、領域１２にとってローカルな制御室に配置されてもよく、領域１２の遠隔にある制御室に配置されてもよい。
【００２０】
ネットワーク４２に接続されている、またはそれと通信するものには、通信タワー４６を通じてネットワーク４２と通信する移動デバイス４４もある。移動デバイス４４は、無線ネットワーク上で通信できる適切なタイプのデバイスを代表するものである。例示的なデバイスには、任意のタイプの無線受信機またはトランシーバデバイス（たとえば、セル方式電話、タブレットコンピュータ、スマートフォン、ページャ、ＰＤＡ、ＰＣ、専門放送受信デバイス、衛星ラジオ受信機、衛星電話、およびテレビ）がある。例示的なデバイスは、たとえば、（ａ）ポータブルメディアプレイヤ、（ｂ）ラップトップ、タブレットコンピュータ、携帯用情報端末（「ＰＤＡ」）、セル方式電話など、スマートフォン（たとえば、ｉＰｈｏｎｅ、ブラックベリー、アンドロイドベースの電話等）、セッション開始プロトコル（ＳＩＰ）電話、ビデオ電話などのポータブル電話、ポータブル電子メールデバイス、シンクライアント、ポータブルゲーム機などのポータブルコンピューティングデバイス、（ｃ）テレビ、ＤＶＤプレイヤ、セットトップボックス、モニタ、ディスプレイなどの家庭用電子機器、（ｄ）キオスク、店内音楽（ｉｎ−ｓｔｏｒｅ  ｍｕｓｉｃ）サンプリングデバイス、現金自動預け払い機（ＡＴＭ）、キャッシュレジスタなどのパブリックコンピューティングデバイス、（ｅ）ポータブルでもよく車に搭載されていてもよいナビゲーションデバイス、および／または（ｆ）台所用品、自動車制御（たとえばステアリングホイール）などの非従来型コンピューティングデバイスを含む、ポータブルデバイスや様々なコンピューティングデバイス、あるいはそれらの組合せなどの、任意の適切な移動デバイスを含んでもよい。例示のみの目的で、移動デバイス４４はスマートフォンとも呼ばれることもあるが、これに限定されないことは明らかである。移動デバイス４４はディスプレイ４５を有してよく、ディスプレイはタッチスクリーンでもよく、他のタイプのディスプレイでもよい。
【００２１】
ネットワーク４２に接続されている、またはそれと通信するものには、これに限定されないが、アプリケーションサーバ４８およびロケーションサーバ６０を含む、１つまたは複数のサーバがある。アプリケーションサーバ４８は、アプリケーションプログラムを実行できる、任意のタイプのサーバコンピュータとすることができる。アプリケーションサーバ４８は、様々なセンサおよびシステムのリアルタイムの状況、メンテナンス記録およびスケジュール、ならびに複数の資産１０のための運転制御プログラムを追跡することを含む、複数の資産１０の状態または状況を監視するアプリケーションプログラムを実行できる。資産１０は、風力エネルギーを得るための装置でもよく、エネルギーを生成するためのタービンでもよく、または他の任意のタイプの資産１０でもよい。アプリケーションサーバ４８は、風力タービン１００などの、個々の資産１０のうちのいずれかまたは全てについての上記の識別されたデータを追跡できる。アプリケーションサーバ４８は、それぞれの資産１０を特に識別して、それぞれの資産１０を地理的位置に関連付けることもできる。
【００２２】
ロケーションサーバ６０は、移動デバイス４４または複数のこのようなデバイスの位置を追跡して、その位置データを位置データベース６２に格納する。移動デバイス４４の位置は、これに限定されないが、ＧＰＳ、Ａ−ＧＰＳ、到着時間遅延、三角測量、あるいは他の任意のタイプの位置決定アルゴリズムまたは方法を含む、当業者に知られている方法によって決定することができる。
【００２３】
移動デバイス４４は、資産１０の状態を監視するためのアプリケーションクライアントを常駐させることができる。アプリケーションクライアントは、アプリケーションサーバ４８によって監視されている任意の資産１０の状況をディスプレイ４５上に表示するように構成することができる。たとえば、および図５を参照して、アプリケーションクライアントは、移動４４に関連して最も近い資産１０に関するデータを表示するディスプレイ４５を含むことができ、また、たとえば、資産の識別、資産の位置、資産の運転状況、資産の運転スケジュール、資産のメンテナンス状況、資産のメンテナンススケジュール、資産の障害データ、および他の任意の資産データのうちの１つまたは複数を検索するための選択肢を提供するメニューを含むことができる。図５および本明細書で識別されるデータは例示のためのものに過ぎず、任意の実際のデータは、例示的な状況カテゴリのうちのいずれかまたは全てを含んでも含まなくてもよく、データの任意の追加カテゴリを含むことができ、依然として本開示の範囲内である。
【００２４】
移動デバイス４４は、ポータブルデータ収集装置の機能を果たすこともできる。移動デバイス４４への１つまたは複数の入力は、これに限定されないが、ＵＳＢまたは他の有線接続、あるいはＷｉ−Ｆｉ、ブルートゥース、または他の無線通信接続を含む、知られている通信技法を使用して、資産１０のうちの１つまたは複数からなされてもよい。
【００２５】
施設は数キロメートルに及ぶ可能性があり、風力発電地帯は数平方マイルに及ぶことがある。アプリケーションサーバ４８および移動デバイス４４内の状態監視ソフトウェアによって監視される資産１０は、施設にわたって物理的に点在する場合がある。動作時には、多数の資産１０を処理することが向上する。図６を参照すると、資産１０の状態または状況を監視するための例示的方法を示す流れ図が示されている。８０で、移動デバイス４４の位置が決定される。位置は、これに限定されないが、ＧＰＳ、Ａ−ＧＰＳ、到着時間遅延、三角測量、あるいは他の任意のタイプの位置決定アルゴリズムまたは方法を含む複数の方法のうちのいずれかによって決定することができる。８２で、移動デバイス４４に最も近接している資産１０が識別される。これは、移動デバイス４４の位置と、複数の資産１０の位置とを比較することによって行うことができ、資産１０の位置はあらかじめ決定しておき、アプリケーションサーバ４８に格納しておいてもよい。８４で、最も近い資産１０の状態または状況データがアクセスされる。最も近い資産１０の状態は、アプリケーションサーバ４８から受信されてもよく、アプリケーションサーバ４８から受信した情報から移動デバイス４４によって取得されてもよい。状態は、たとえば、資産の運転状況、資産の運転スケジュール、資産のメンテナンス状況、資産のメンテナンススケジュール、資産の障害データ、および他の任意の資産データを含んでもよい。８６で、移動デバイス４４のディスプレイ４５に最も近い資産１０の状態または状況データが表示される。したがって、フィールドエンジニアの現在の位置情報を利用し、フィールドエンジニアが、どの資産が近くにあるか、異常事態にあるか、またはメンテナンスを必要とするかを識別する助けとする。また、本方法により、ポータブルデータ収集装置は、フィールドエンジニアに示されるデータ収集ルートをフィルタリングして、フィールドエンジニアの現在の位置に非常に近いルートだけを含めることができるようになる。本開示は、移動デバイス４４のポータブルデータ収集装置にアップロードされたデータの精度を向上することができる。
【００２６】
本開示および添付の図面の範囲内である、図６の方法の変形形態があり得る。たとえば、最も近い資産１０のデータが、ポータブルデータ収集装置の機能を果たす移動デバイス４４にアップロードすることができる。最も近い資産１０の状態または状況データは、移動デバイス４４のディスプレイ４５に自動的に表示されてもよく、移動デバイス４４によって発行されたコマンドによって検索されてもよい。ディスプレイは、１つの資産１０からのデータに限定されてもよく、移動デバイス４４に近接している複数の資産１０からのデータを含んでもよい。データがディスプレイ４５にポピュレートされることに加えて、データは、音声通信またはアラーム、あるいは他の任意のタイプの機構を通して伝えることができる。本システムおよび方法の技術的効果は、フィールドエンジニアが、移動デバイス４４を使用して、効率的および正確な方法でデータの管理および／またはメンテナンスできるようになることである。
【００２７】
他の実施形態によれば、資産１０のうちの１つまたは複数に関するデータが、ロケーションサーバ６０によって決定された移動デバイス４４の位置に基づいて、アプリケーションサーバ４８から移動デバイス４４に送信されてもよい。たとえば、ロケーションサーバ６０は、移動デバイス４４が、サービスを必要とする複数の資産１０のうちの１つに近接して位置すると決定し、移動デバイス４４が資産１０に近接している間に通知または他のデータをその移動デバイス４４に送信することができる。データは、ＳＭＳ、テキスト、ＭＭＳ、または他の任意のタイプの無線データ通信を介して送信されてもよく、さらに、たとえば移動デバイス４４のユーザにデータが移動デバイス４４に送信されたこと、または送信されていることを警告するために、音声または視覚アラームを含むことができる。
【００２８】
移動デバイス４４の位置を決定するためにロケーションサーバ６０を使用することに加えて、代替案は、ブルートゥースなどのニアフィールド無線通信プロトコル、あるいはＲＦＩＤ通信を使用して、資産１０に関する、または領域１２内の相対的な位置としての移動デバイス４４の位置を決定することを含んでもよい。ニアフィールド無線通信モジュールを領域１２全体にわたって配置し、移動デバイス４４が最も近い資産１０を見つけるために役立つ相対的な位置情報をブロードキャストしてもよい。
【００２９】
本発明は、位置に基づいて、または移動デバイスからのコマンドに基づいて、自動ディスプレイに適用できることを理解されたい。１つまたは複数の資産１０を移動デバイスに事前にプログラムし、それらの複数の資産１０を通じて移動デバイス４４のユーザを案内し、それによって領域１２全体にわたる領域１２内の１つまたは複数の特定の資産へのルートを作成することもできる。本開示について風力発電地帯に関して記述したが、これに限定されないがスチームタービンを含む他の資産タイプも本開示の範囲および幅の内であると見なすことができる。
【００３０】
様々な図面の様々な実施形態に関して、他の類似の実施形態が使用されてもよく、記述された実施形態に修正および追加が行われてもよいことを理解されたい。本明細書は、このような例を使用して、最良の形態を含む本発明を開示し、また、任意のデバイスまたはシステムを作成および使用すること、および任意の組み込まれた方法を実行することを含めて、当業者の誰もが本発明を実施できるようにする。本発明の特許性のある範囲は特許請求の範囲によって定義されており、当業者が想到する他の例を含むことができる。このような他の例は、特許請求の範囲の文言と同じ構造要素を有する場合、または特許請求の範囲の文言とほとんど異ならない等価の構造要素を含む場合、特許請求の範囲内であることが意図される。したがって、タービンクリアランスフローの減少のための装置、システム、および方法は、単一のどの実施形態にも限定されるべきではなく、添付の特許請求の範囲による広さおよび範囲内にあると見なされるべきである。
【符号の説明】
【００３１】
２  タワー
４  ロータ
６  ナセル
８  ロータブレード
１０  資産
１２  領域
４２  ネットワーク
４３  ネットワークデバイス
４４  移動デバイス
４５  ディスプレイ（資産の識別：資産の位置：資産の運転状況：資産の運転スケジュール：資産のメンテナンス状況：資産の障害データ：資産のメンテナンススケジュール：他の資産データ）
４６  通信タワー
４８  アプリケーションサーバ
５０  ＧＰＳ信号
６０  ロケーションサーバ
６２  位置データベース
８０  デバイスの位置を決定する
８２  資産の位置を識別する
８４  資産のデータにアクセスする
８６  資産のデータを表示する
１００  風力タービン
１１０  ＧＰＳ受信機
１１２  センサ
１２０  通信デバイス
【図１】
2013229870.tif 000003
【図２】
2013229870.tif 000004
【図３】
2013229870.tif 000005
【図４】
2013229870.tif 000006
【図５】
2013229870.tif 000007
【図６】
2013229870.tif 000008